(57)【要約】【課題】個人の健康状態のデジタルデータ及び救急用医薬品を保存し、生命の危険が発生したときに、救急用データと医薬品を提供することができる、救急用携帯型記憶装置の提供。【解決手段】管状の本体が設けられ、前記本体の両側末端部の端面上に収容空間がそれぞれ凹設され、携帯型記憶装置の一端の回路板本体が前記いずれかの収容空間内に配置され、USBコネクタが前記収容空間の外に突出されると共に、前記携帯型記憶装置には個人の健康状態に関するデジタルデータが保存され、蓋体を他方の収容空間上に設置して密閉空間を形成し、この空間内に救急用医薬品を保管することができ、これにより、救命の事態が発生したとき、救命人員は携帯型記憶装置に保存された個人の健康状態のデジタルデータを読み取り、同時に前記救急用医薬品を使用して迅速に最も適切な救護を行なうことができる。【選択図】図１
0003136652.tif 000002
【実用新案登録請求の範囲】
【請求項１】
救急用携帯型記憶装置であって、管状の本体と、携帯型記憶装置と、蓋体を含み、そのうち、前記本体は両側の末端の端面上にそれぞれ収容空間が凹設され、前記携帯型記憶装置は一端の回路板本体が前記いずれかの収容空間の中に配置され、他端のUSBコネクタが外側に向かって前記収容空間の外に突出され、前記携帯型記憶装置には予め個人の健康状態及び病歴に関するデジタルデータが保存されると共に、前記蓋体は辺縁部上に雄ネジが設けられ、前記本体の他方の収容空間の内側辺縁部に対応する雌ネジが形成され、前記蓋体の雄ネジを前記他方の収容空間の雌ネジ上に螺合することにより、前記蓋体を前記本体の他端上に設置して前記他方の収容空間に密閉空間を形成し、前記空間内に救急用医薬品を保管することができることを特徴とする、救急用携帯型記憶装置。     
【請求項２】
前記蓋体の雄ネジ上に防水パッキンを設置し、前記蓋体を前記本体の他方の収容空間上に螺合するとき、緊密性を高め、防水の機能を形成することを特徴とする、請求項１に記載の救急用携帯型記憶装置。
【請求項３】
前記本体の携帯型記憶装置が穿置された側に外蓋を設置し、外蓋が携帯型記憶装置のUSBコネクタ上を覆い、前記USBコネクタを保護することを特徴とする、請求項１に記載の救急用携帯型記憶装置。
【請求項４】
前記外蓋の内側辺縁部に雌ネジを設け、前記本体の辺縁部に対応する雄ネジを形成し、前記外蓋の雌ネジを前記本体の雄ネジ上に螺合することにより、前記外蓋を前記携帯型記憶装置のUSBコネクタ上に被せて設置することを特徴とする、請求項３に記載の救急用携帯型記憶装置。
【請求項５】
前記外蓋内に防水パッキンを設置し、前記外蓋を前記本体上に螺合するとき、緊密性を高め、防水の機能を形成することを特徴とする、請求項４に記載の救急用携帯型記憶装置。
【請求項６】
前記外蓋上にキーリングを設置可能であることを特徴とする、請求項５に記載の救急用携帯型記憶装置。
【考案の詳細な説明】
【技術分野】
【０００１】
本考案は救急用携帯型記憶装置に関し、特に、内部に個人の健康状況（病歴含む）のデジタルデータ及び救急用医薬品を保存し、生命の危険に関わる状況が発生したとき、救急用の参考データと医薬品を提供し、救命を行うことができる、救急用携帯型記憶装置に関する。
【背景技術】
【０００２】
登山やその他戸外活動は、時に過度に冒険し（特にロッククライミングなど）危険が発生することがある。危険が発生して生命に危害となることを防止するため、通常は笛を携帯し、緊急時には笛を鳴らして付近にいる仲間に救助を求める。
【０００３】
しかしながら、笛の使用では付近にいる仲間を呼んで救助を求めることしかできず、仲間が救命を行うとき、救命を受ける人の健康状態や病歴（例えば心臓病、薬物アレルギー等）を全く知らず、また適切に救命を行うための医薬品も携帯していないため、どのような救命方法及び医薬品を使用してよいか判断できず、救命時間がかかってしまう。特に、救命を受ける人がケガをしているときや、意識がはっきりせず、自身の健康状態（病歴など）を告げることができないときは、誤診が発生しやすく、誤った医薬品を使用して救命を行なってしまうことがある。
【考案の開示】
【考案が解決しようとする課題】
【０００４】
本考案の考案者は、前述の先行技術の欠点に鑑みて、各種救護用品の製造経験と技術の蓄積に基づき、上述の欠点に対して各種解決方法の研究を重ね、度重なる実験と改良を経て、先行技術の欠点を排除するべく、ついに本考案の斬新な救急用携帯型記憶装置の開発に至ったものである。
【０００５】
本考案の目的は、個人の健康状態のデジタルデータ及び救急用医薬品を保存し、生命の危険が発生したときに、救急用の参考データと医薬品を提供し、救命を行うことができる、救急用携帯型記憶装置を提供することにある。
【課題を解決するための手段】
【０００６】
上述の目的を達するため、本考案の救急用携帯型記憶装置は、管状の本体が設けられ、前記本体の両側末端部の端面上に収容空間がそれぞれ凹設され、携帯型記憶装置が前記いずれかの収容空間内に穿設され、さらに外蓋が設置される。そのうち、携帯型記憶装置の一端の回路板本体が前記いずれかの収容空間内に配置され、他端のUSBコネクタが外側に向かって前記収容空間の外に突出されると共に、前記携帯型記憶装置には個人の健康状態に関するデジタルデータが保存される。蓋体の辺縁部に雄ネジが設けられ、前記本体の他方の収容空間の内側辺縁部に対応する雌ネジが設けられ、蓋体の雄ネジを他方の収容空間の雌ネジ上に螺合して、蓋体を本体の他端に設置し、他方の収容空間に密閉空間を形成してこの空間内に救急用医薬品を保管することができる。        
【考案の効果】
【０００７】
これにより、生命の危険がある緊急状況が発生したとき、救命人員は携帯型記憶装置に保存された個人の健康状態のデジタルデータを読み取り、且つ保管された救急用医薬品を使用して最も適切な救護を行なうことができる。        
【考案を実施するための最良の形態】
【０００８】
本考案の目的、形状、構造装置の特徴及びその効果について、さらに理解を深めるため、以下、図面に基づき詳細に説明する。
【０００９】
本考案の救急用携帯型記憶装置は、図１から図３に示すように、管状の本体１０が設けられ、前記本体１０の両側末端部の端面上に収容空間１１、１２がそれぞれ凹設され、携帯型記憶装置２０が収容空間１１内に穿設され、さらに外蓋１０１が設置される。そのうち、携帯型記憶装置２０の一端の回路板本体２１がそのうちいずれかの収容空間１１内に配置され、他端のUSBコネクタ２３が外側に向かって前記収容空間１１の外に突出される。前記携帯型記憶装置２０には予め個人の健康状態及び病歴（例えば心臓病、血液型、薬物アレルギー等）のデータを保存しておく。
【００１０】
蓋体３０は辺縁部に雄ネジ３１１が設けられ、前記本体１０の他方の収容空間１２の内側辺縁部に対応する雌ネジ１２１が形成され、蓋体３０の雄ネジ３１１を他方の収容空間１２の雌ネジ１２１上に螺合して、蓋体３０を本体１０の他端に設置し、他方の収容空間１２に密閉空間を形成してこの空間内に救急用医薬品４を保管することができる。
【００１１】
上述の構成部材の構成により、生命の危険がある緊急状況が発生したとき、救命人員はコンピュータを利用して携帯型記憶装置２０上の個人の健康状態及び病歴（例えば心臓病、血液型、薬物アレルギー等）のデジタルデータを読み取り、同時に、蓋体３０内の救急用医薬品４を使用して、最短時間内に最適な救護を行なうことができる。
【００１２】
図１から図３に示すように、前記蓋体３０の雄ネジ３１１上に防水パッキン３１３を設置し、前記蓋体３０を本体１０の他方の収容空間１２上に螺合するとき、より緊密にして防水の機能を持たせることができる。
【００１３】
図１から図３に示すように、前記本体１０の携帯型記憶装置２０上には外蓋１０１が設置され、外蓋１０１が携帯型記憶装置２０のUSBコネクタ２３上を覆い、前記USBコネクタ２３を保護することができる。前記外蓋１０１の内側辺縁部に雌ネジ１０１１が設けられ、本体１０の辺縁上に対応する雄ネジ１０３が形成され、外蓋１０１の雌ネジ１０１１を本体１０の雄ネジ１０３上に螺合して、外蓋１０１を携帯型記憶装置２０のUSBコネクタ２３上に閉じ合わせる。
【００１４】
さらに図１から図３に示すように、前記外蓋１０１内に防水パッキン１０１３を設置し、前記外蓋１０１を本体１０上に螺合するとき、より緊密にして防水の機能を持たせることができる。また、前記外蓋１０１上にキーリング１０５を設置し、携帯により便利にすると共に、鍵を連結することができるようにしてもよい。
【００１５】
上述をまとめると、本考案の救急用携帯型記憶装置は、これまでにない新しい構造を確実に備えており、これ以前にいかなる刊行物にも掲載されたことがなく、且つ市場においても類似の製品はないため、新規性を備えていることに疑いはない。また、本考案の持つ独特な特徴及び機能は従来品から思い付くものではなく、従来品に比べ確実に進歩性を備えており、我が国の特許法の実用新案登録出願要件に関する規定を満たしているため、法に従いここに実用新案登録を出願するものである。
【００１６】
以上で述べた説明は、本考案の最良の実施例に基づくものであり、本考案の構造的特徴はこれに限られず、関連技術を熟知した人物が本考案の領域内で容易に思い付く変化や修飾はすべて、本考案の特許範囲に含まれるものとする。
【図面の簡単な説明】
【００１７】
【図１】本考案の救急用携帯型記憶装置の立体外観図である。
【図２】本考案の救急用携帯型記憶装置の使用状態を示す立体外観図１である。
【図３】本考案の救急用携帯型記憶装置の使用状態を示す立体外観図２である。
【符号の説明】
【００１８】
１０      本体
１０１    外蓋
１０１１  雌ネジ
１０１３  防水パッキン
１０３    雄ネジ
１０５    キーリング
１１      収容空間
１２      他方の収容空間
１２１    雌ネジ
２０      携帯型記憶装置
２１      回路板本体
２３      USBコネクタ
３０      蓋体
３１１    雄ネジ
３１３    防水パッキン
４        救急用医薬品
【図１】
0003136652.tif 000003
【図２】
0003136652.tif 000004
【図３】
0003136652.tif 000005